(57)【要約】 【課題】  本発明は３フロア程度の建物躯体が仕上がった状態で、分割幹線ケーブルを接続しながら設置できるようにして、クレーンやウインチ等を用いることなく設置することができる高層ビル等の建物の幹線ケーブルの設置方法および幹線ケーブルを得るにある。【解決手段】  建物躯体に両端部に接続コネクタが取付けられた３フロア程度へ電気を供給する分岐配線が設けられた分割幹線ケーブルを接続できるように建物躯体に設置する分割幹線ケーブルの設置工程と、建物躯体の上部に設けた係止具に係止される吊り下げ具が上部に設けられ、３フロア程度へ電気を供給する分岐配線および下端部に接続コネクタが取付けられた上部幹線ケーブルを設置する上部幹線ケーブル設置工程と、前記分割幹線ケーブルの設置工程および前記上部幹線ケーブルの設置工程と同時あるいは後で、分割幹線ケーブルの接続および該分割幹線ケーブルと上部幹線ケーブルとの接続を行なう接続工程とで高層ビル等の建物の幹線ケーブルの設置方法を構成している。【選択図】  図１
2005039981.tif 000002
【特許請求の範囲】
【請求項１】
３フロア程度の建物躯体が仕上がった状態で両端部に接続コネクタが取付けられ、各フロアへ電気を供給する分岐配線が設けられた分割幹線ケーブルを、該建物躯体に設置する下部の分割幹線ケーブルの設置工程と、この下部の分割幹線ケーブルの設置工程後に、さらに上部に３フロア程度の建物躯体が仕上がった状態で、分割幹線ケーブルの下端部の接続コネクタを該下部の分割幹線ケーブルの設置工程で設置された分割幹線ケーブルの上端部の接続コネクタに接続して、該建物躯体に設置する少なくとも１回以上の上部の分割幹線ケーブルの設置工程と、この上部の分割幹線ケーブルの設置工程後に最上部の３フロア程度の建物躯体が仕上がった状態で、各フロアへ電気を供給する分岐配線された下端部に接続コネクタが設けられ、上端部に吊り下げ具が設けられた上部幹線ケーブルの吊り下げ具を建物躯体の上部に設けられた係止具に係止させるとともに、下端部の接続コネクタを該上部の分割幹線ケーブルの設置工程で設置された上部の分割幹線ケーブルの上部の接続コネクタに接続する上部幹線ケーブルの設置工程とを含むことを特徴とする高層ビル等の建物の幹線ケーブルの設置方法。
【請求項２】
建物躯体に両端部に接続コネクタが取付けられた３フロア程度へ電気を供給する分岐配線が設けられた分割幹線ケーブルを接続できるように建物躯体に設置する分割幹線ケーブルの設置工程と、建物躯体の上部に設けた係止具に係止される吊り下げ具が上部に設けられ、３フロア程度へ電気を供給する分岐配線および下端部に接続コネクタが取付けられた上部幹線ケーブルを設置する上部幹線ケーブル設置工程と、前記分割幹線ケーブルの設置工程および前記上部幹線ケーブルの設置工程と同時あるいは後で、分割幹線ケーブルの接続および該分割幹線ケーブルと上部幹線ケーブルとの接続を行なう接続工程とからなることを特徴とするする高層ビル等の建物の幹線ケーブルの設置方法。
【請求項３】
３フロア程度に配線できる長さに形成された３本のケーブル、この３本のケーブルの各フロアに電気を供給できるようにそれぞれ分岐された複数個の分岐配線、前記３本のケーブルの上下端部にそれぞれ接続された接続コネクタとからなる複数本接続された複数本の分割幹線ケーブルと、３フロア程度に配線できる長さに形成された３本のケーブル、この３本のケーブルの各フロアに電気を供給できるようにそれぞれ分岐された複数個の分岐配線、前記３本のケーブルの下端部に接続された前記上部の分割幹線ケーブルの上部の接続コネクタとそれぞれ接続される接続コネクタ、前記３本のケーブルの上端部に取付けられた建物躯体の上部に設けた係止具に係止される吊り下げ具とからなる上部幹線ケーブルとからなることを特徴とする高層ビル等の建物の幹線ケーブル。
【請求項４】
３フロア程度に配線できる長さに形成された３本のケーブル、この３本のケーブルの各フロアに電気を供給できるようにそれぞれ分岐された少なくとも１本が該３本のケーブルの上下端部の一方より分岐される複数個の分岐配線、前記３本のケーブルの上下端部にそれぞれ接続された接続コネクタとからなる複数本接続された複数本の分割幹線ケーブルと、３フロア程度に配線できる長さに形成された３本のケーブル、この３本のケーブルの各フロアに電気を供給できるようにそれぞれ分岐された少なくとも１本が該３本のケーブルの上下端部の一方より分岐される複数個の分岐配線、前記３本のケーブルの下端部に接続された前記上部の分割幹線ケーブルの上部の接続コネクタとそれぞれ接続される接続コネクタ、前記３本のケーブルの上端部に取付けられた建物躯体の上部に設けた係止具に係止される吊り下げ具とからなる上部幹線ケーブルとからなることを特徴とする高層ビル等の建物の幹線ケーブル。
【請求項５】
３フロア程度に配線できる長さに形成された３本のケーブル、この３本のケーブルの各フロアに電気を供給できるようにそれぞれ分岐された少なくとも１本が該３本のケーブルの上下端部の一方に設けられた分岐線用コネクタを介して分岐できる複数個の分岐配線、前記３本のケーブルの上下端部にそれぞれ接続された接続コネクタとからなる複数本接続された複数本の分割幹線ケーブルと、３フロア程度に配線できる長さに形成された３本のケーブル、この３本のケーブルの各フロアに電気を供給できるようにそれぞれ分岐された少なくとも１本が該３本のケーブルの上下端部の一方に設けられた分岐線用コネクタを介して分岐できる複数個の分岐配線、前記３本のケーブルの下端部に接続された前記上部の分割幹線ケーブルの上部の接続コネクタとそれぞれ接続される接続コネクタ、前記３本のケーブルの上端部に取付けられた建物躯体の上部に設けた係止具に係止される吊り下げ具とからなる上部幹線ケーブルとからなることを特徴とする高層ビル等の建物の幹線ケーブル。
【発明の詳細な説明】
【技術分野】
【０００１】
本発明は五階以上の高層ビル等の建物に設置される各フロアへ電気を供給する幹線ケーブルの設置方法および幹線ケーブルに関する。
【背景技術】
【０００２】
従来、高層ビル等の建物に幹線ケーブルを設置する場合、建物の全体の躯体が仕上がった後、最上階から最下部までの長さで、各フロアへ電気を供給する分岐配線された幹線ケーブルを、各階の幹線ケーブル挿入孔を通過させたウインチのワイヤーによって上端部を吊り上げ、上部階の上部躯体の係止片に上部の吊り下げ具を係止させて設置している。
【０００３】
従来の幹線ケーブルの設置方法では建物の高さとほぼ同じ長さの幹線ケーブルを用いているため、高層になればなる程重くなり、ウインチやクレーンを用いなければ幹線ケーブルを吊り上げることができないとともに、建物の躯体が最上階まで仕上がらなければ設置作業ができず、また、その際、水道配管工事やその他の作業と競合して自由に設置作業を行なうことができないという欠点があった。
【特許文献１】特開平１１−６９５７４号公報
【発明の開示】
【発明が解決しようとする課題】
【０００４】
本発明は以上のような従来の欠点に鑑み、３フロア程度の建物躯体が仕上がった状態で、分割幹線ケーブルを接続しながら設置できるようにして、クレーンやウインチ等を用いることなく設置することができる高層ビル等の建物の幹線ケーブルの設置方法および幹線ケーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は３フロア程度の建物躯体が仕上がった状態で両端部に接続コネクタが取付けられ、各フロアへ電気を供給する分岐配線が設けられた分割幹線ケーブルを、該建物躯体に設置する下部の分割幹線ケーブルの設置工程と、この下部の分割幹線ケーブルの設置工程後に、さらに上部に３フロア程度の建物躯体が仕上がった状態で、分割幹線ケーブルの下端部の接続コネクタを該下部の分割幹線ケーブルの設置工程で設置された分割幹線ケーブルの上端部の接続コネクタに接続して、該建物躯体に設置する少なくとも１回以上の上部の分割幹線ケーブルの設置工程と、この上部の分割幹線ケーブルの設置工程後に最上部の３フロア程度の建物躯体が仕上がった状態で、各フロアへ電気を供給する分岐配線された下端部に接続コネクタが設けられ、上端部に吊り下げ具が設けられた上部幹線ケーブルの吊り下げ具を建物躯体の上部に設けられた係止具に係止させるとともに、下端部の接続コネクタを該上部の分割幹線ケーブルの設置工程で設置された上部の分割幹線ケーブルの上部の接続コネクタに接続する上部幹線ケーブルの設置工程とで高層ビル等の建物の幹線ケーブルの設置方法を構成している。
【０００７】
また、本発明は３フロア程度に配線できる長さに形成された３本のケーブル、この３本のケーブルの各フロアに電気を供給できるようにそれぞれ分岐された複数個の分岐配線、前記３本のケーブルの上下端部にそれぞれ接続された接続コネクタとからなる複数本接続された複数本の分割幹線ケーブルと、３フロア程度に配線できる長さに形成された３本のケーブル、この３本のケーブルの各フロアに電気を供給できるようにそれぞれ分岐された複数個の分岐配線、前記３本のケーブルの下端部に接続された前記上部の分割幹線ケーブルの上部の接続コネクタとそれぞれ接続される接続コネクタ、前記３本のケーブルの上端部に取付けられた建物躯体の上部に設けた係止具に係止される吊り下げ具とからなる上部幹線ケーブルとで高層ビル等の建物の幹線ケーブルを構成している。
【発明の効果】
【０００８】
以上の説明から明らかなように、本発明にあっては次に列挙する効果が得られる。
【０００９】
（１）３フロア程度の建物躯体が仕上がった状態で両端部に接続コネクタが取付けられ、各フロアへ電気を供給する分岐配線が設けられた分割幹線ケーブルを、該建物躯体に設置する下部の分割幹線ケーブルの設置工程と、この下部の分割幹線ケーブルの設置工程後に、さらに上部に３フロア程度の建物躯体が仕上がった状態で、分割幹線ケーブルの下端部の接続コネクタを該下部の分割幹線ケーブルの設置工程で設置された分割幹線ケーブルの上端部の接続コネクタに接続して、該建物躯体に設置する少なくとも１回以上の上部の分割幹線ケーブルの設置工程と、この上部の分割幹線ケーブルの設置工程後に最上部の３フロア程度の建物躯体が仕上がった状態で、各フロアへ電気を供給する分岐配線された下端部に接続コネクタが設けられ、上端部に吊り下げ具が設けられた上部幹線ケーブルの吊り下げ具を建物躯体の上部に設けられた係止具に係止させるとともに、下端部の接続コネクタを該上部の分割幹線ケーブルの設置工程で設置された上部の分割幹線ケーブルの上部の接続コネクタに接続する上部幹線ケーブルの設置工程とからなるので、クレーンやウインチを用いることなく、高層ビル等の建物に幹線ケーブルを設置することができる。
したがって、設置作業が容易にできる。
【００１０】
（２）前記（１）によって、分割幹線ケーブル同志の接続および分割幹線ケーブルと上部幹線ケーブルとの接続は接続コネクタでできるので、容易に短時間に行なうことができる。
【００１１】
（３）前記（１）によって、建物の躯体が最上階まで仕上がらなくても設置作業ができ、また、その際、水道配管工事やその他の作業と競合することなく、自由に設置作業を行なうことができる。
【００１２】
（４）請求項２、３、４、５も前記（１）〜（３）と同様な効果が得られるとともに、請求項２では、建物の躯体が最上階まで仕上がってからの作業では他の工事のじゃまにならない部分から作業ができるため、効率よく設置作業を行なうことができる。
【発明を実施するための最良の形態】
【００１３】
以下、図面に示す発明を実施するための最良の形態により、本発明を詳細に説明する。
【００１４】
図１ないし図８に示す本発明を実施するための最良の第１の形態において、１は３フロア２、２、２程度の建物躯体３が仕上がった状態で分割幹線ケーブル４を、該建物躯体３に設置する下部の分割幹線ケーブルの設置工程で、この下部の分割幹線ケーブルの設置工程１で使用される分割幹線ケーブル４は、図３に示すように３フロア２、２、２程度に配線できる長さに形成された３本のケーブル５、５、５と、この３本のケーブル５、５、５の各フロア２、２、２に電気を供給できるようにそれぞれ分岐された複数個、本発明の実施の形態では各フロア２、２、２用に分岐された分岐配線６、６、６、６、６、６、６、６、６と、前記３本のケーブル５、５、５の上下端部にそれぞれ接続された接続コネクタ７、７、７、７、７、７とで構成されている。
なお、本発明を実施するための形態では一体化されていない３本のケーブル５、５、５を使用するものに付いて説明したが、本発明はこれに限らず、３本のケーブル５、５、５をより線にして一体化したものを用いても同様な作用効果が得られる。
【００１５】
前記接続コネクタ７、７、７、７、７、７は前記ケーブル５、５、５の端部に固定された一端部が平坦面８に形成されたコネクタ本体９と、このコネクタ本体９の平坦面８の一部より接続可能に突出する、前記ケーブル５の導体５ａに接続された接続導体１０と、前記コネクタ本体９に形成された複数個のビス１１、１１によって固定されるビス挿入孔１２、１２とで構成されている。
【００１６】
上記のように構成された分割幹線ケーブル４は図４に示すように、上部フロア２より各フロア２、２、２に形成された幹線ケーブル挿入孔１３、１３、１３内を通過させ、分岐配線６、６、６部位の下部位置を固定金具１４、１４、１４によって各フロア２、２、２の壁面等に固定して、下部の分割幹線ケーブルの設置工程１を行なう。
【００１７】
１５は前記下部の分割幹線ケーブルの設置工程１後に、図５および図６に示すようにさらに上部に３フロア２、２、２程度の建物躯体３が仕上がった状態で、前記分割幹線ケーブル４を該下部の幹線ケーブルの設置工程１で設置された分割幹線ケーブル４の上部の接続コネクタ７、７、７と下部の接続コネクタ７、７、７とを接続して設置する上部の分割幹線ケーブルの設置工程である。
この上部の分割幹線ケーブルの設置工程１５は、前記下部の幹線ケーブルの設置工程１と同様に行なうとともに、下部の幹線ケーブル４と上部の幹線ケーブル４とを接続コネクタ７、７、７、７、７、７で接続することにより行なう。
このような上部の分割幹線ケーブルの設置工程１５は、上部から３フロアを除く部分まで順次行なう。
【００１８】
１６は最上部の３フロア２、２、２程度の建物躯体３が仕上がった状態で、図７に示す上部幹線ケーブル１７を設置する上部幹線ケーブルの設置工程で、この上部幹線ケーブルの設置工程１６で使用される上部幹線ケーブル１７は前記分割幹線ケーブル４の上部の接続コネクタに代え、上部を絶縁処理した後、吊り下げ具としてのケーブルグリップ１８を取付けられたものが使用される。
【００１９】
上記のように構成された上部幹線ケーブル１７を用いた上部幹線ケーブルの設置工程１６は、上部幹線ケーブル１７の吊り下げ具１８を最上部の躯体３に設けられた係止片１９に係止させて、下部フロア２、２、２の幹線ケーブル挿入孔１３、１３、１３を通過させて吊り下げた後の作業は、前記上部の分割幹線ケーブルの設置工程１５と同様に行なう。
【００２０】
このような順序で行なう高層ビル等の建物の幹線ケーブルの設置方法では、３フロア程度の建物躯体３が仕上がった状態で設置作業を行なうことができるとともに、３フロア程度の長さの分割幹線ケーブル４や上部幹線ケーブル１７を現場で、接続コネクタで接続した幹線ケーブル２０を用いるため、従来のようにクレーンやウインチを用いることなく、設置作業を行なうことができるとともに、６階、９階、１２階、１５階、１８階、２１階建てのビルに設置できる。
【００２１】
｛発明を実施するための異なる形態｝
次に、図９ないし図３７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図９ないし図１１に示す本発明を実施するための第２の形態において、前記本発明を実施するための最良の第１の形態と主に異なる点は、少なくとも１本以上の分割幹線ケーブル４と２フロア用の分割幹線ケーブル４Ａと上部幹線ケーブル１７とを接続した点で、このように構成した高層ビル等の建物の幹線ケーブルの設置方法を用いて幹線ケーブル２０Ａを形成しても、前記本発明を実施するための最良の第１の形態と同様な作用効果が得られるとともに、３フロア用の分割幹線ケーブル４、２フロア用の分割幹線ケーブル４Ａ、上部幹線ケーブル１７を任意に組み合わせることにより、５階、７階、８階、１０階、１１階、１３階、１４階、１６階、１７階、１９階、２０階等のビルに設置できる。
なお、２フロア用の分割幹線ケーブル４Ａは、２フロア程度の長さの３本のケーブル５Ａ、５Ａ、５Ａにそれぞれ各フロア用の分岐配線６、６、６、６、６、６がされ、上下端部に接続コネクタ７、７、７、７、７、７が形成されたものである。
【００２３】
図１２ないし図１４に示す本発明を実施するための第３の形態において、前記本発明を実施するための最良の第１の形態と主に異なる点は、高層ビル等の建物躯体３が仕上がった状態で、任意の部位の３フロアあるいは２フロア部分に両端部に接続コネクタが取付けられた各フロアヘ電気を供給する分岐配線が設けられた分割幹線ケーブル４、４Ａを接続できるように、建物の躯体に設置する分割幹線ケーブルの設置工程２１と、上部幹線ケーブルの設置工程１６とを行なうとともに、該分割幹線ケーブルの設置工程２１および上部幹線ケーブルの設置工程１６時あるいは後で、分割幹線ケーブル４、４あるいは４、４Ａの接続および分割幹線ケーブル４あるいは４Ａと上部幹線ケーブル１７の接続工程２２を行なって高層ビル等の建物の幹線ケーブルの設置方法を行なった点で、このような設置方法および該設置方法で設置された高層ビル等の建物の幹線ケーブル２０、２０Ａにしても、前記本発明を実施するための最良の第１の形態と同様な作用効果が得られる。
【００２４】
図１５ないし図１７に示す本発明を実施するための第４の形態において、前記本発明を実施するための最良の第１の形態と主に異なる点は、下部の分割幹線ケーブルの設置工程１および上部の分割幹線ケーブルの設置工程１５で使用される分割幹線ケーブル４Ｂの接続コネクタ７Ａを前記ケーブル５、５、５の一端部の導体に固定された先端外周部にねじ部２３が形成されるとともに内壁面に接触子２４が設けられた導電材製の雌側コネクタ本体９Ａ、９Ａ、９Ａで構成したものを用いるとともに、この接続コネクタ７Ａに接続される接続コネクタ７Ｂを前記ケーブル５、５、５の他端部の導体に固定された前記雌側コネクタ本体９Ａ、９Ａ、９Ａ内に挿入されて接触子２４と接触する中央部寄りの外周部にフランジ２５が形成された導電材製の接触片２６と、この接触片２６の外周部に回転可能に取付けられた前記雌側コネクタ本体９Ａのねじ部２３と螺合されるナット２７とからなる雄側コネクタ本体９Ｂ、９Ｂ、９Ｂとで構成したものを用いるとともに、上部幹線ケーブルの設置工程１６で使用される上部幹線ケーブル１７Ａの下端部に接続コネクタ７Ｂを取り付けたものを用いて高層ビル等の建物の幹線ケーブルの設置方法を行なった点で、このような設置方法および該設置方法で設置された高層ビル等の建物の幹線ケーブル２０Ｂにしても、前記本発明を実施するための最良の第１の形態と同様な作用効果が得られる。
なお、接続コネクタ７Ａと接続コネクタ７Ｂとを接続した後には外周部を絶縁融着テープ２８で覆い、その外周部を熱収縮チューブや絶縁カバー２９で覆い絶縁処理を施す。
また、上下ケーブル５、５の位置ずれを吸収できるように雄側コネクタ本体９Ｂの接触片２６の寸法Ａと、雌側コネクタ本体９Ａの接触子２４が設けられた凹部の寸法Ｂとを規定寸法よりも１０ｍｍ程長く形成している。
【００２５】
図１８ないし図２０に示す本発明を実施するための第５の形態において、前記本発明を実施するための最良の第１の形態と主に異なる点は、下部の分割幹線ケーブルの設置工程１および上部の分割幹線ケーブルの設置工程１５で使用される分割幹線ケーブル４Ｃの接続コネクタ７Ｃを前記ケーブル５、５、５の両端部の導体に逆向き固定された先端部が半円弧形状に形成されビス挿入孔３０およびねじ孔３１が形成された導電材製のコネクタ本体９Ｃ、９Ｃ、９Ｃで構成したものを用いるとともに、上部幹線ケーブルの設置工程１６で使用される上部幹線ケーブル１７Ｂの下端部に接続コネクタ７Ｃを取り付けたものを用いて高層ビル等の建物の幹線ケーブルの設置方法を行なった点で、このような設置方法および該設置方法で設置された高層ビル等の建物の幹線ケーブル２０Ｃにしても、前記本発明を実施するための最良の第１の形態と同様な作用効果が得られる。
この実施の形態でも前記本発明を実施するための４の形態と同様に接続コネクタ７Ｃと接続コネクタ７Ｃとを接続した後には外周部を絶縁融着テープ２８で覆い、その外周部を熱収縮チューブや絶縁カバー２９で覆い絶縁処理を施す。
【００２６】
図２１ないし図２３に示す本発明を実施するための第６の形態において、前記本発明を実施するための第４の形態と主に異なる点は、ケーブル５Ａの雌側コネクタ本体９Ａの接続部にＣ型分岐スリーブ３２を用いて分岐ケーブル６Ａを取付け、該分岐ケーブル６Ａの接続部および雌側コネクタ本体９Ａの外周部を樹脂モールド３３で覆つた分割ケーブル５Ａ、５Ａ、５Ａを使用した分割幹線ケーブル４Ｄを用いた点で、このような分割幹線ケーブル４Ｄを用いた幹線ケーブル２０Ｄを用いても前記本発明を実施するための第４の形態と同様な作用効果が得られるとともに、雌側コネクタ本体９Ａの接続のためにケーブル５の絶縁被膜を除去した所に分岐ケーブル６Ａを取り付ることができ、該分岐ケーブル６Ａを取り付るためにケーブル５の絶縁被膜の除去作業を行わなくて良い。
【００２７】
図２４ないし図２６に示す本発明を実施するための第７の形態において、前記本発明を実施するための第６の形態と主に異なる点は、分岐ケーブル６Ａに取付けられたオスコネクタ３４と着脱可能あるいは差込むとロック機構によってロック状態に接続される分岐ケーブル接続用のメスコネクタ３５を形成した雌側コネクタ本体９Ｄを使用した分割ケーブル５Ｂ、５Ｂ、５Ｂを使用した分割幹線ケーブル４Ｅを用いた点で、このような分割幹線ケーブル４Ｅを用いた幹線ケーブル２０Ｅを用いても前記本発明を実施するための第６の形態と同様な作用効果が得られるとともに、現場や必要時に雌側コネクタ本体９Ｄのメスコネクタ３５に分岐ケーブル６Ａのオスコネクタ３４を接続して使用することができる。
【００２８】
図２７ないし図２９に示す本発明を実施するための第８の形態において、前記本発明を実施するための第４の形態と主に異なる点は、ねじ部２３の端部に凹部３６を形成するとともに、該凹部３６に電気の相識別を確認することができる着色３７を形成した雌接続コネクタ７Ｄと、この雌接続コネクタ７Ｄと接続される袋ナット２７Ａの先端部が前記凹部３６位置する部位で接触片２６に固定することができる該袋ナット２７Ａに形成されたねじ孔３８に螺合されるセットビス３９および袋ナット２７Ａ端部の外部に現れる接触片２６に電気の相識別を確認することができる着色３７を形成した雄接続コネクタ７Ｅを用いた点で、このような分割幹線ケーブル４Ｆを用いても同様な作用効果が得られる。
【００２９】
図３０ないし図３２に示す本発明を実施するための第９の形態において、前記本発明を実施するための第７の形態と主に異なる点は、分岐配線６Ｂに雄接続コネクタ７Ｅを取り付けるとともに、該雄接続コネクタ７Ｅを着脱可能に取付けられる雌接続コネクタ７Ｄををケーブル５に取付けた点で、このように構成した分割幹線ケーブル４Ｆを用いても同様な作用効果が得られる。
【００３０】
図３３ないし図３５に示す本発明を実施するための第１０の形態において、前記本発明を実施するための第７の形態と主に異なる点は、接触子２４が設けられた内壁にロックリング４０が設けられた雌接続コネクタ７Ｆと、この雌接続コネクタ７Ｆの接触子２４と接触するように接触片２６を押し込むと前記ロックリング４０でロックされる雄接続コネクタ７Ｇを用いた点で、このような分割幹線ケーブル４Ｇを用いても同様な作用効果が得られる。
【００３１】
図３６および図３７に示す本発明を実施するための第１１の形態において、前記本発明を実施するための第９の形態と主に異なる点は、上端部にロックリング４０が挿入孔４１内に収納されたメス接続コネクタ７Ｈを設置し、下端部に前記メス接続コネクタ７Ｈの挿入孔４１内に押込むとロックリング４０と係合してロック状態に接続される接触片２６を設けたオス接続コネクタ７Ｉを設置した分割ケーブル５Ｃ、５Ｃ、５Ｃを使用した分割幹線ケーブル４Ｈを用いた点で、このような分割幹線ケーブル４Ｈを用いても良い。
【００３２】
なお、前記本発明を実施するための各形態では３フロア程度の上部幹線ケーブル１７を用いるものについて説明したが、本発明はこれに限らず、２フロア程度の上部幹線ケーブルを用いてもよい。
なお、前記本発明を実施するための各形態では２本のビス１１によって接続する接続コネクタ７について説明したが、本発明はこれに限らず、電気接続と、自重が加わっても接続状態を保てるものであれば、どんな構造のものであってもよい。
【産業上の利用可能性】
【００３３】
本発明は高層ビル等の建物の幹線ケーブルの設置方法を使用する産業および幹線ケーブルを製造する産業で利用される。
【図面の簡単な説明】
【００３４】
【図１】本発明を実施するための最良の第１の形態の工程図。
【図２】本発明を実施するための最良の第１の形態の設置状態の説明図。
【図３】本発明を実施するための最良の第１の形態の分割幹線ケーブルの説明図。
【図４】本発明を実施するための最良の第１の形態の下部の分割幹線ケーブルの設置工程の説明図。
【図５】本発明を実施するための最良の第１の形態の上部の分割幹線ケーブルの設置工程の説明図。
【図６】本発明を実施するための最良の第１の形態の接続コネクタの接続状態の説明図。
【図７】本発明を実施するための最良の第１の形態の上部幹線ケーブルの説明図。
【図８】本発明を実施するための最良の第１の形態の上部幹線ケーブルの設置工程の説明図。
【図９】本発明を実施するための第２の形態の工程図。
【図１０】本発明を実施するための第２の形態の設置状態の説明図。
【図１１】本発明を実施するための第２の形態の２フロア用の分割幹線ケーブルの説明図。
【図１２】本発明を実施するための第３の形態の工程図。
【図１３】本発明を実施するための第３の形態の分割幹線ケーブルの設置工程の説明図。
【図１４】本発明を実施するための第３の形態の上部幹線ケーブルの設置工程の説明図。
【図１５】本発明を実施するための第４の形態の工程図。
【図１６】本発明を実施するための第４の形態の分割幹線ケーブルの設置工程の説明図。
【図１７】本発明を実施するための第４の形態の接続コネクタの説明図。
【図１８】本発明を実施するための第５の形態の工程図。
【図１９】本発明を実施するための第５の形態の分割幹線ケーブルの設置工程の説明図。
【図２０】本発明を実施するための第５の形態の接続コネクタの説明図。
【図２１】本発明を実施するための第６の形態の分割幹線ケーブルの説明図。
【図２２】本発明を実施するための第６の形態の分割幹線ケーブルの接続状態の説明図。
【図２３】本発明を実施するための第６の形態の接続コネクタ説明図。
【図２４】本発明を実施するための第７の形態の分割幹線ケーブルの説明図。
【図２５】本発明を実施するための第７の形態の分割幹線ケーブルの接続状態の説明図。
【図２６】本発明を実施するための第７の形態の接続コネクタの説明図。
【図２７】本発明を実施するための第８の形態の分割幹線ケーブルの説明図。
【図２８】本発明を実施するための第８の形態の設置状態の説明図。
【図２９】本発明を実施するための第８の形態の接続コネクタの説明図。
【図３０】本発明を実施するための第９の形態の分割幹線ケーブルの説明図。
【図３１】本発明を実施するための第９の形態の設置状態の説明図。
【図３２】本発明を実施するための第９の形態の分岐配線の接続部の説明図。
【図３３】本発明を実施するための第１０の形態の分割幹線ケーブルの説明図。
【図３４】本発明を実施するための第１０の形態の設置状態の説明図。
【図３５】本発明を実施するための第１０の形態の分岐配線の接続部の説明図。
【図３６】本発明を実施するための第１１の形態の接続コネクタの説明図。
【図３７】本発明を実施するための第１１の形態の分割幹線ケーブルの説明図。
【符号の説明】
【００３５】
１：下部の分割幹線ケーブルの設置工程、
２：フロア、            ３：建物躯体、
４、４Ａ〜４Ｈ：分割幹線ケーブル、
５、５Ａ、５Ｂ、５Ｃ：ケーブル、
６：分岐配線、          ６Ａ：分岐ケーブル、
７、７Ａ、７Ｂ〜７Ｉ：接続コネクタ、
８：平坦面、
９、９Ａ〜９Ｄ：コネクタ本体、
１０：接続導体、        １１：ビス、
１２：ビス挿入孔、      １３：幹線ケーブル挿入孔、
１４：固定金具、
１５：上部の幹線ケーブルの設置工程、
１６：上部幹線ケーブルの設置工程、
１７、１７Ａ、１７Ａ：上部幹線ケーブル、
１８：ケーブルグリップ、１９：係止片、
２０、２０Ａ〜２０Ｄ：幹線ケーブル、
２１：分割幹線ケーブルの設置工程、
２２：接続工程、        ２３：ねじ部、
２４：接触子、          ２５：フランジ、
２６：接触片、          ２７：ナット、
２８：絶縁融着テープ、
２９：熱収縮チューブや絶縁カバー
３０：ビス挿入孔、      ３１：ねじ孔、
３２：Ｃ型分岐スリーブ、３３：樹脂モールド、
３４：オスコネクタ、    ３５：メスコネクタ、
３６：凹部、            ３７：着色、
３８：ねじ孔、          ３９：セットビス、
４０：ロックリング、    ４０：挿入孔。
【図１】
2005039981.tif 000003
【図２】
2005039981.tif 000004
【図３】
2005039981.tif 000005
【図４】
2005039981.tif 000006
【図５】
2005039981.tif 000007
【図６】
2005039981.tif 000008
【図７】
2005039981.tif 000009
【図８】
2005039981.tif 000010
【図９】
2005039981.tif 000011
【図１０】
2005039981.tif 000012
【図１１】
2005039981.tif 000013
【図１２】
2005039981.tif 000014
【図１３】
2005039981.tif 000015
【図１４】
2005039981.tif 000016
【図１５】
2005039981.tif 000017
【図１６】
2005039981.tif 000018
【図１７】
2005039981.tif 000019
【図１８】
2005039981.tif 000020
【図１９】
2005039981.tif 000021
【図２０】
2005039981.tif 000022
【図２１】
2005039981.tif 000023
【図２２】
2005039981.tif 000024
【図２３】
2005039981.tif 000025
【図２４】
2005039981.tif 000026
【図２５】
2005039981.tif 000027
【図２６】
2005039981.tif 000028
【図２７】
2005039981.tif 000029
【図２８】
2005039981.tif 000030
【図２９】
2005039981.tif 000031
【図３０】
2005039981.tif 000032
【図３１】
2005039981.tif 000033
【図３２】
2005039981.tif 000034
【図３３】
2005039981.tif 000035
【図３４】
2005039981.tif 000036
【図３５】
2005039981.tif 000037
【図３６】
2005039981.tif 000038
【図３７】
2005039981.tif 000039